(57)【要約】【課題】シンクカウンタと対面カウンタとの間に、止水性を有する収納を簡単な構成で設けることができる対面キッチンを提供する。【解決手段】シンクを有するシンクカウンタと、前記シンクカウンタの後端から後方に向かって延びる底板部と、前記底板部の後端から上方に向かって延びる第１背板部と、を有する第１Ｌ字型部材と、前後方向において前記第１背板部と重なる位置に設けられる第２背板部と、前記第２背板部の上端から前方に向かって延びる上板部と、を有し、前記シンクカウンタよりも上方に位置する対面カウンタを前記上板部によって形成するとともに、前記底板部と前記上板部との間に収納空間を形成する第２Ｌ字型部材と、を備えたことを特徴とする対面キッチンである。【選択図】図１
2019136289.tif 000002
【特許請求の範囲】
【請求項１】
シンクを有するシンクカウンタと、
前記シンクカウンタの後端から後方に向かって延びる底板部と、前記底板部の後端から上方に向かって延びる第１背板部と、を有する第１Ｌ字型部材と、
前後方向において前記第１背板部と重なる位置に設けられる第２背板部と、前記第２背板部の上端から前方に向かって延びる上板部と、を有し、前記シンクカウンタよりも上方に位置する対面カウンタを前記上板部によって形成するとともに、前記底板部と前記上板部との間に収納空間を形成する第２Ｌ字型部材と、
を備えたことを特徴とする対面キッチン。
【請求項２】
前記第１Ｌ字型部材を支持する第１支持部と、
前記第１背板部と前記第２背板部との間に前後方向の隙間を設け、かつ前記第１Ｌ字型部材と前記第２Ｌ字型部材との間に上下方向の隙間を設けた状態で、前記第２Ｌ字型部材を支持する第２支持部と、
をさらに備えたことを特徴とする請求項１記載の対面キッチン。
【請求項３】
前記収納空間の側方を塞ぐサイドパネルをさらに備え、
前記第２支持部は、前記サイドパネルに設けられていることを特徴とする請求項２記載の対面キッチン。
【請求項４】
前記第２背板部は、前記第１背板部の後方に設けられ、
前記上板部は、前記第１背板部の上端を覆うことを特徴とする請求項１〜３のいずれか１つに記載の対面キッチン。
【発明の詳細な説明】
【技術分野】
【０００１】
本発明の態様は、一般的に、対面キッチンに関する。
【背景技術】
【０００２】
リビング側（ダイニング側）を向いた状態で炊事などを行えるようにする対面キッチンが知られている。こうした対面キッチンにおいて、シンクが設けられたシンクカウンタの後方（リビング側）に、シンクカウンタよりも高い対面カウンタを設けることが行われている。さらには、シンクカウンタと対面カウンタとの間の空間を収納として利用することにより、この空間を有効活用することも行われている。
【０００３】
例えば、特許文献１では、シンクカウンタと対面カウンタとの間に取付スペースを設け、この取付スペースに箱状の収納ポケットを嵌め込むことにより、シンクカウンタと対面カウンタとの間に収納スペースを設けている。
【０００４】
また、シンクカウンタと対面カウンタとの間に設けられる収納においては、内部に浸入した水が下方の空間などに漏れ出さないようにする止水性が求められる。これにより、例えば、濡れた食器などを収納内に載置した場合にも、下方のキャビネットなどに水が漏れ出てしまうことを抑制することができる。
【０００５】
例えば、箱状の収納ポケットを樹脂材料や金属材料などの耐水性を有する材料で形成することにより、収納に止水性を持たせることができる。しかしながら、このような箱状の収納ポケットは、製造に手間がかかってしまう。このため、対面キッチンでは、シンクカウンタと対面カウンタとの間に、止水性を有する収納を簡単な構成で設けられるようにすることが望まれている。
【先行技術文献】
【特許文献】
【０００６】
【特許文献１】特開２００２−１２５７７９号公報
【発明の概要】
【発明が解決しようとする課題】
【０００７】
本発明は、かかる課題の認識に基づいてなされたものであり、シンクカウンタと対面カウンタとの間に、止水性を有する収納を簡単な構成で設けることができる対面キッチンを提供することを目的とする。
【課題を解決するための手段】
【０００８】
第１の発明は、シンクを有するシンクカウンタと、前記シンクカウンタの後端から後方に向かって延びる底板部と、前記底板部の後端から上方に向かって延びる第１背板部と、を有する第１Ｌ字型部材と、前後方向において前記第１背板部と重なる位置に設けられる第２背板部と、前記第２背板部の上端から前方に向かって延びる上板部と、を有し、前記シンクカウンタよりも上方に位置する対面カウンタを前記上板部によって形成するとともに、前記底板部と前記上板部との間に収納空間を形成する第２Ｌ字型部材と、を備えたことを特徴とする対面キッチンである。
【０００９】
この対面キッチンによれば、第１Ｌ字型部材と第２Ｌ字型部材とを重ねて設置するだけで収納空間を設けることができる。また、収納空間の下部を形成する底板部と第１背板部とが一体的であるため、収納空間の下部に隙間などが生じることを抑制し、適切な止水性を確保することができる。従って、箱状の収納ポケットを取付スペースに嵌め込む構成などと比べて、シンクカウンタと対面カウンタとの間に、止水性を有する収納を簡単な構成で設けることができる。また、現場で取付スペースなどを造作する必要もなく、高い施工性を得ることもできる。
【００１０】
第２の発明は、第１の発明において、前記第１Ｌ字型部材を支持する第１支持部と、前記第１背板部と前記第２背板部との間に前後方向の隙間を設け、かつ前記第１Ｌ字型部材と前記第２Ｌ字型部材との間に上下方向の隙間を設けた状態で、前記第２Ｌ字型部材を支持する第２支持部と、をさらに備えたことを特徴とする対面キッチンである。
【００１１】
この対面キッチンによれば、第１Ｌ字型部材と第２Ｌ字型部材とが互いに異なる部材に支持されるため、互いに隙間を設けた状態で支持することが可能となる。そして、これにより、第１Ｌ字型部材の寸法誤差が、第２Ｌ字型部材の取付位置などに影響を与えてしまうことを抑制することができる。
【００１２】
第３の発明は、第２の発明において、前記収納空間の側方を塞ぐサイドパネルをさらに備え、前記第２支持部は、前記サイドパネルに設けられていることを特徴とする対面キッチンである。
【００１３】
この対面キッチンによれば、第２支持部とサイドパネルとの位置合わせを行うことで、第２Ｌ字型部材を適切に取り付けることができる。例えば、第２Ｌ字型部材自体の高さを調整しながら第２Ｌ字型部材の取り付けを行う必要がなく、施工性をより向上させることができる。
【００１４】
第４の発明は、第１〜第３のいずれか１つの発明において、前記第２背板部は、前記第１背板部の後方に設けられ、前記上板部は、前記第１背板部の上端を覆うことを特徴とする対面キッチンである。
【００１５】
この対面キッチンによれば、第１背板部の上端が上方に露出してしまうことがなく、対面キッチンの見栄えをより向上させることができる。
【発明の効果】
【００１６】
本発明の態様によれば、シンクカウンタと対面カウンタとの間に、止水性を有する収納を簡単な構成で設けることができる対面キッチンが提供される。
【図面の簡単な説明】
【００１７】
【図１】実施形態に係る対面キッチンを模式的に表す斜視図である。
【図２】実施形態に係る対面キッチンを模式的に表す斜視図である。
【図３】実施形態に係る対面キッチンの一部を模式的に表す断面図である。
【図４】図４（ａ）〜図４（ｅ）は、実施形態に係る対面キッチンの一部を模式的に表す平面図である。
【図５】実施形態に係る対面キッチンの変形例を模式的に表す斜視図である。
【図６】実施形態に係る対面キッチンの変形例を模式的に表す斜視図である。
【図７】図７（ａ）〜図７（ｃ）は、実施形態に係る第１Ｌ字型部材及び第２Ｌ字型部材の変形例を模式的に表す断面図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１及び図２は、実施形態に係る対面キッチンを模式的に表す斜視図である。  
図１及び図２に表したように、対面キッチン１０は、シンクカウンタ１２と、対面カウンタ１４と、を備える。対面キッチン１０は、キッチン及びリビング（ダイニング）と対面して設置される。これにより、対面キッチン１０は、リビング側を向いた状態で炊事などを行えるようにする。
【００１９】
以下、本願明細書においては、リビング側に立ち、キッチン側を向くように対面キッチン１０と対面する使用者からみた上方、下方、前方、後方、右側方、及び左側方を、それぞれ「上方」、「下方」、「前方」、「後方」、「右側方」、及び「左側方」とする。前方は、換言すれば、対面キッチン１０のキッチン側を向く方向である。図１は、前方側から見た対面キッチン１０の斜視図であり、図２は、後方側から見た対面キッチン１０の斜視図である。
【００２０】
シンクカウンタ１２は、上面１２ａを有する。シンクカウンタ１２は、例えば、上面視において略長方形の平板状である。シンクカウンタ１２は、例えば、上面１２ａが略水平となるように設置される。シンクカウンタ１２の上面１２ａが略水平な状態とは、例えば、上面１２ａの高低差が２ｍｍ以内の状態である。シンクカウンタ１２の少なくとも上面１２ａの部分には、例えば、ステンレス、人工大理石、又は人造大理石などが用いられる。
【００２１】
シンクカウンタ１２は、シンク１６を有する。シンク１６は、シンクカウンタ１２の上面１２ａよりも下方に凹む。シンク１６は、シンクカウンタ１２の平板状の天板部と一体に形成してもよいし、天板部とは別に形成した後、接着などを介して天板部に取り付けてもよい。
【００２２】
シンク１６内、又はシンクカウンタ１２のシンク１６の周辺には、水栓１８が設けられる。水栓１８は、対面キッチン１０に取り付けて使用される。水栓１８は、例えば、シンク１６の後方側に設けられる。水栓１８は、シンク１６内に向けて湯水を吐水する。換言すれば、シンク１６は、水栓１８から吐水された湯水を受ける。また、シンク１６は、水栓１８などから受けた湯水を排水管などを介して外部に排出する。
【００２３】
シンクカウンタ１２は、コンロ２０を取り付けるための開口部１２ｂを有する。コンロ２０は、対面キッチン１０に取り付けて使用される。コンロ２０は、例えば、ガスコンロ、電気コンロ、又は電磁調理器などである。
【００２４】
また、シンクカウンタ１２は、調理やシンク１６で洗った食器の片付けなどの種々の作業を行うための作業スペース１２ｃをさらに有する。作業スペース１２ｃは、例えば、シンク１６とコンロ２０（開口部１２ｂ）との間に設けられる。すなわち、この例では、シンクカウンタ１２の左端側にシンク１６が配置され、シンクカウンタ１２の右端側にコンロ２０が配置され、シンクカウンタ１２の中央付近に作業スペース１２ｃが配置されている。シンク１６、コンロ２０、及び作業スペース１２ｃの配置は、上記に限ることなく、任意の配置でよい。例えば、シンク１６をシンクカウンタ１２の中央付近に配置してもよいし、コンロ２０をシンクカウンタ１２の中央付近に配置してもよい。
【００２５】
対面カウンタ１４は、シンクカウンタ１２の後方（リビング側）に設けられる。対面カウンタ１４は、シンクカウンタ１２よりも上方に位置する。対面カウンタ１４の高さは、シンクカウンタ１２の高さよりも高い。
【００２６】
このように、対面カウンタ１４を設けることにより、キッチン側とリビング側との開放感を保ちつつ、乱雑になりがちなシンクカウンタ１２の上面１２ａやシンク１６内などをリビング側から見え難くすることができる。さらには、水などがリビング側にこぼれてしまうことを抑制することもできる。対面キッチン１０は、いわゆるハイステップ型の対面式のシステムキッチンである。
【００２７】
対面キッチン１０は、例えば、キャビネット部３０と、サイドパネル４０と、をさらに備える。キャビネット部３０は、シンクカウンタ１２及び対面カウンタ１４を支持する。また、キャビネット部３０は、例えば、コンロ２０を支持する。キャビネット部３０は、内部に収納空間を有し、キッチン用品などの物品を収納可能とする。キャビネット部３０は、建築の床面に設置される。シンクカウンタ１２、対面カウンタ１４、及びコンロ２０などは、キャビネット部３０を介して建築の床面に設置される。キャビネット部３０は、いわゆるフロアキャビネットである。
【００２８】
サイドパネル４０は、シンクカウンタ１２、対面カウンタ１４、及びキャビネット部３０の側方に設けられる。サイドパネル４０は、例えば、シンクカウンタ１２、対面カウンタ１４、及びキャビネット部３０の側方を覆うことにより、対面キッチン１０の見栄えを向上させる。サイドパネル４０は、いわゆる化粧板である。
【００２９】
サイドパネル４０の高さは、例えば、対面カウンタ１４の高さと実質的に同じである。サイドパネル４０の高さは、対面カウンタ１４の高さよりも高くてもよい。すなわち、サイドパネル４０の高さは、対面カウンタ１４の高さ以上であればよい。
【００３０】
この例では、対面キッチン１０の左右方向の一端側のみにサイドパネル４０を設けている。対面キッチン１０の左右方向の他端側は、例えば、建築の壁面によって覆われる。換言すれば、対面キッチン１０の左右方向の他端側は、建築の壁面に取り付けられる。例えば、対面キッチン１０の両側端を建築の壁面から離間させた、いわゆるアイランド型のキッチンとする場合などには、対面キッチン１０の両側端にサイドパネル４０を設けてもよい。
【００３１】
キャビネット部３０は、例えば、６つのキャビネット３１〜３６を有する。キャビネット３１〜３６は、対面キッチン１０に組み込まれて使用される。キャビネット３１〜３３は、前方（キッチン側）に向けて設けられる。キャビネット３４〜３６は、後方（リビング側）に向けて設けられる。
【００３２】
このように、対面キッチン１０において、キッチン側及びリビング側のそれぞれにキャビネット３１〜３６を設けることにより、キッチン側からもリビング側からも物品を収納できるようになり、対面キッチン１０の使い勝手を向上させることができる。
【００３３】
また、例えば、キッチン側のみにキャビネットを設けた場合には、キャビネットの奥側の空間が利用し辛くなってしまう可能性がある。これに対して、キッチン側及びリビング側のそれぞれにキャビネット３１〜３６を設け、各キャビネット３１〜３６の前後方向の長さを短くすることで、各キャビネット３１〜３６において奥まった空間を少なくし、キャビネット部３０の収納空間を有効活用し易くすることができる。
【００３４】
キャビネット３１〜３３は、シンクカウンタ１２を支持する。キャビネット３１は、コンロ２０の下方に設けられる。キャビネット３１は、コンロ２０を支持する。キャビネット３１は、例えば、コンロ２０を取り付けるためのコンロ台を有する。キャビネット３１は、換言すれば、コンロ用キャビネットである。
【００３５】
キャビネット３２は、作業スペース１２ｃの下方に設けられる。キャビネット３２は、シンクカウンタ１２の作業スペース１２ｃの下方を支持する。キャビネット３２は、換言すれば、作業スペース用キャビネットである。
【００３６】
キャビネット３３は、シンク１６の下方に設けられる。シンクカウンタ１２の上面１２ａよりも下方に凹むシンク１６の一部は、キャビネット３３内に収納される。キャビネット３３は、シンク１６の一部を内部に収納しつつ、シンクカウンタ１２を支持する。キャビネット３３は、換言すれば、シンク用キャビネットである。
【００３７】
キャビネット３４〜３６は、例えば、対面カウンタ１４を支持する。キャビネット３４は、コンロ２０用のキャビネット３１と背中合わせに、キャビネット３１の前方に設けられる。キャビネット３５は、作業スペース１２ｃ用のキャビネット３２と背中合わせに、キャビネット３２の前方に設けられる。キャビネット３６は、シンク１６用のキャビネット３３と背中合わせに、キャビネット３３の前方に設けられる。
【００３８】
このように、後方側のキャビネット３４〜３６は、前方側のキャビネット３１〜３３のそれぞれに対応して設けられる。但し、キャビネット部３０の構成は、上記の構成に限定されるものではない。例えば、後方側に設けられるキャビネットの数は、前方側に設けられるキャビネットの数と異なってもよい。また、キャビネット部３０は、複数のキャビネット３１〜３６を組み合わせる構成に限ることなく、例えば、各キャビネット３１〜３６を一体的にした１つのキャビネットで構成してもよい。換言すれば、キャビネット部３０自体を１つのキッチンキャビネットとしてもよい。
【００３９】
後方側のキャビネット３３〜３６の前後方向の長さＬ１は、前方側のキャビネット３１〜３３の前後方向の長さＬ２よりも短い。これにより、例えば、対面キッチン１０の収納性や使い勝手を向上させつつ、対面キッチン１０の前後方向の長さが、過度に長くなってしまうことを抑制することができる。
【００４０】
対面キッチン１０は、前面パネル４２と、収納空間ＳＳと、を有する。前面パネル４２及び収納空間ＳＳは、シンクカウンタ１２と対面カウンタ１４との間に設けられている。前面パネル４２は、開口部１２ｂ及びコンロ２０の後方に設けられる。前面パネル４２は、開口部１２ｂ及びコンロ２０の後方の部分において、シンクカウンタ１２の後端から上方に向かって延び、シンクカウンタ１２の後端と対面カウンタ１４の前端とを接続する。前面パネル４２は、例えば、前方を向く略垂直な面を形成し、シンクカウンタ１２と対面カウンタ１４との間の空間を塞ぐ。前面パネル４２は、例えば、コンロ２０からの油跳ねなどを抑制し、対面キッチン１０の清掃性を向上させる。前面パネル４２の左右方向の幅は、例えば、コンロ２０用のキャビネット３１及びその後方側のキャビネット３４の左右方向の長さと実質的に同じである。前面パネル４２は、例えば、キャビネット３１及びキャビネット３４の少なくとも一方に取り付けられる。
【００４１】
収納空間ＳＳは、シンクカウンタ１２と対面カウンタ１４との間において、前方側（キッチン側）を向いて設けられる。収納空間ＳＳは、より詳しくは、シンクカウンタ１２の後方かつ対面カウンタ１４の下方に設けられる。収納空間ＳＳは、キッチン用品などの物品の収納を可能にする。これにより、対面キッチン１０の収納性及び使い勝手をより向上させることができる。
【００４２】
収納空間ＳＳは、前面パネル４２と左右方向に並べて設けられる。この例では、コンロ２０の後方に前面パネル４２が設けられ、シンク１６及び作業スペース１２ｃの後方に収納空間ＳＳが設けられる。収納空間ＳＳの左右方向の幅は、例えば、作業スペース１２ｃ用のキャビネット３２とシンク１６用のキャビネット３３との左右方向の合計の幅と実質的に同じである。収納空間ＳＳの一方の側方は、サイドパネル４０によって塞がれる。サイドパネル４０は、例えば、キャビネット部３０に取り付けられ、収納空間ＳＳの一方の側方を塞ぐ。
【００４３】
図３は、実施形態に係る対面キッチンの一部を模式的に表す断面図である。  
図３は、図１のＡ１−Ａ２線断面を模式的に表す。  
図３に表したように、対面キッチン１０は、第１Ｌ字型部材５１と、第２Ｌ字型部材５２と、をさらに備える。
【００４４】
第１Ｌ字型部材５１は、底板部５１ａと、第１背板部５１ｂと、を有する。底板部５１ａは、シンクカウンタ１２の後端から後方に向かって延びる。第１背板部５１ｂは、底板部５１ａの後端から上方に向かって延びる。
【００４５】
第２Ｌ字型部材５２は、第２背板部５２ａと、上板部５２ｂと、を有する。第２背板部５２ａは、前後方向において第１背板部５１ｂと重なる位置に設けられる。上板部５２ｂは、第２背板部５２ａの上端から前方に向かって延びる。これにより、第２Ｌ字型部材５２は、シンクカウンタ１２よりも上方に位置する対面カウンタ１４を上板部５２ｂによって形成するとともに、底板部５１ａと上板部５２ｂとの間に収納空間ＳＳを形成する。
【００４６】
第２背板部５２ａは、第１背板部５１ｂの後方に設けられる。第２背板部５２ａの上端は、第１背板部５１ｂの上端よりも上方に延びる。これにより、上板部５２ｂは、第１背板部５１ｂの上端を覆う。
【００４７】
第１背板部５１ｂは、底板部５１ａと一体的である。底板部５１ａと第１背板部５１ｂとは、例えば、型成形などによって一体に成形される。あるいは、第１背板部５１ｂは、接着や溶着などによって底板部５１ａに一体に取り付けられる。このように、底板部５１ａと第１背板部５１ｂとが一体的な状態とは、一体に成形された状態、もしくは接着などによって互いに一体に取り付けられた状態である。底板部５１ａと第１背板部５１ｂとの間には、水が通り抜けたり浸み込んだりする隙間が設けられていない。
【００４８】
底板部５１ａ及び第１背板部５１ｂは、耐水性を有する。底板部５１ａ及び第１背板部５１ｂにおいては、水が通り抜けたり浸み込んだりすることがない。底板部５１ａ及び第１背板部５１ｂには、例えば、樹脂材料や金属材料などの耐水性を有する材料が用いられる。
【００４９】
また、上記のように、底板部５１ａと第１背板部５１ｂとの間には、隙間が設けられていない。これにより、第１Ｌ字型部材５１と第２Ｌ字型部材５２とによって収納空間ＳＳを形成した際に、収納空間ＳＳの内部に浸入した水が下方の空間などに漏れ出さないようにすることができる。すなわち、収納空間ＳＳに止水性を持たせることができる。
【００５０】
第２Ｌ字型部材５２においても、第１Ｌ字型部材５１と同様に、上板部５２ｂは、第２背板部５２ａと一体的である。第２背板部５２ａと上板部５２ｂとの間には、水が通り抜けたり浸み込んだりする隙間が設けられていない。第２背板部５２ａ及び上板部５２ｂは、耐水性を有する。これにより、収納空間ＳＳの止水性をより高めることができる。但し、上方に位置する第２Ｌ字型部材５２は、必ずしも止水性を有する構成でなくてもよい。第２Ｌ字型部材５２は、少なくとも第２背板部５２ａと上板部５２ｂとが互いに接続された構成であればよい。
【００５１】
底板部５１ａは、収納空間ＳＳ側を向く内側面ＩＳ１１と、内側面ＩＳ１１と反対側を向く外側面ＯＳ１１と、を有する。底板部５１ａの内側面ＩＳ１１は、換言すれば、収納空間ＳＳにおいて物品を載置するための載置面である。
【００５２】
第１背板部５１ｂは、収納空間ＳＳ側を向く内側面ＩＳ１２と、内側面ＩＳ１２と反対側を向く外側面ＯＳ１２と、を有する。
【００５３】
底板部５１ａの内側面ＩＳ１１と第１背板部５１ｂの内側面ＩＳ１２との成す角度θ１１は、略９０°（例えば８８°以上９２°以下）である。同様に、底板部５１ａの外側面ＯＳ１１と第１背板部５１ｂの外側面ＯＳ１２との成す角度θ１２は、略９０°（例えば８８°以上９２°以下）である。
【００５４】
また、底板部５１ａの内側面ＩＳ１１と第１背板部５１ｂの内側面ＩＳ１２との間には、傾斜部５１ｃが設けられている。傾斜部５１ｃは、第１背板部５１ｂから前方に向かうに従って下降傾斜することにより、底板部５１ａの内側面ＩＳ１１と第１背板部５１ｂの内側面ＩＳ１２とをなだらかに接続する。傾斜部５１ｃは、略直線の傾斜面状でもよいし、凹曲面状でもよい。
【００５５】
このように傾斜部５１ｃを設けることにより、例えば、収納空間ＳＳの内側の面を形成する内側面ＩＳ１１、ＩＳ１２における入隅を抑制することができる。例えば、内側面ＩＳ１１と内側面ＩＳ１２との角部を拭きやすくし、収納空間ＳＳの清掃性を向上させることができる。
【００５６】
第２背板部５２ａは、収納空間ＳＳ側を向く内側面ＩＳ２１と、内側面ＩＳ２１と反対側を向く外側面ＯＳ２１と、を有する。上板部５２ｂは、収納空間ＳＳ側を向く内側面ＩＳ２２と、内側面ＩＳ２２と反対側を向く外側面ＯＳ２２と、を有する。上板部５２ｂの外側面ＯＳ２２は、換言すれば、対面カウンタ１４である。
【００５７】
第２背板部５２ａの内側面ＩＳ２１と上板部５２ｂの内側面ＩＳ２２との成す角度θ２１は、略９０°（例えば８８°以上９２°以下）である。同様に、第２背板部５２ａの外側面ＯＳ２１と上板部５２ｂの外側面ＯＳ２２との成す角度θ２２は、略９０°（例えば８８°以上９２°以下）である。
【００５８】
この例において、第１Ｌ字型部材５１の左右方向の幅は、作業スペース１２ｃ用のキャビネット３２とシンク１６用のキャビネット３３との左右方向の合計の幅と実質的に同じである。第１Ｌ字型部材５１は、前面パネル４２と左右方向に並べてキャビネット部３０の上に設けられる。これにより、上記のように、前面パネル４２と収納空間ＳＳとが左右方向に並べて設けられる。
【００５９】
一方、第２Ｌ字型部材５２の左右方向の幅は、シンクカウンタ１２及びキャビネット部３０の左右方向の幅と実質的に同じである。すなわち、この例においては、第２Ｌ字型部材５２の左右方向の幅が、第１Ｌ字型部材５１の左右方向の幅よりも長い。第２背板部５２ａは、第１背板部５１ｂの後方に設けられるとともに、前面パネル４２の後方に設けられる。上板部５２ｂは、第１背板部５１ｂの上端を覆うとともに、前面パネル４２の上端を覆う。
【００６０】
これにより、前面パネル４２と収納空間ＳＳとを左右方向に並べて設けつつ、前面パネル４２及び収納空間ＳＳの上に連続した対面カウンタ１４を設けることができる。また、後方側から見た際には、前面パネル４２の後方及び収納空間ＳＳの後方を連続した１つの第２背板部５２ａで覆うことができ、対面キッチン１０において高い見栄えを得ることができる。
【００６１】
図４（ａ）〜図４（ｅ）は、実施形態に係る対面キッチンの一部を模式的に表す平面図である。  
図４（ａ）〜図４（ｅ）では、対面キッチン１０において、第１Ｌ字型部材５１と第２Ｌ字型部材５２とを取り外した状態を模式的に表している。また、図４（ｂ）は、図４（ａ）の領域Ａの拡大図であり、図４（ｃ）は、図４（ａ）の領域Ｂの拡大図であり、図４（ｄ）は、図４（ａ）の領域Ｃの拡大図であり、図４（ｅ）は、図４（ａ）の領域Ｄの拡大図である。
【００６２】
図４（ａ）〜図４（ｅ）に表したように、対面キッチン１０は、第１Ｌ字型部材５１を支持する複数の支持部６０〜６３（第１支持部）を備える。各支持部６０〜６３は、例えば、略Ｌ字型に折り曲げられ、第１Ｌ字型部材５１を下方から支持するアングル材である。支持部６０、６１は、キャビネット３６に取り付けられている。支持部６２、６３は、キャビネット３５に取り付けられている。第１Ｌ字型部材５１は、例えば、各支持部６０〜６３の上に載せ、下方からネジ止めすることにより、各支持部６０〜６３に支持される。すなわち、第１Ｌ字型部材５１は、各支持部６０〜６３を介してキャビネット３５、３６の上に取り付けられる。
【００６３】
第１Ｌ字型部材５１を支持する第１支持部の構成は、上記に限ることなく、第１Ｌ字型部材５１を支持可能な任意の構成でよい。第１支持部の数は、複数でもよいし、１つでもよい。第１支持部は、上記のように、例えば、キャビネット部３０に設けられる。第１支持部は、例えば、シンクカウンタ１２などに設けてもよい。
【００６４】
さらに、対面キッチン１０は、第２Ｌ字型部材５２を支持する複数の支持部７０〜７４（第２支持部）をさらに備える。支持部７０、７１は、サイドパネル４０に設けられている（図３参照）。支持部７０、７１は、例えば、第２Ｌ字型部材５２を下方から支持するピン状の部材である。支持部７０、７１は、例えば、第２Ｌ字型部材５２の上板部５２ｂの内側面ＩＳ２２に取り付けられたラフィックスなどのノックダウン金具と結合される結合ボルトである。
【００６５】
各支持部７２〜７４は、例えば、略Ｌ字型に折り曲げられ、第２Ｌ字型部材５２を下方から支持するアングル材である。各支持部７２〜７４は、前面パネル４２に取り付けられている。
【００６６】
前面パネル４２は、例えば、前面部４２ａと、第１側面部４２ｂと、第２側面部４２ｃと、を有する。前面部４２ａは、シンクカウンタ１２の後端から上方に向かって延びる。第１側面部４２ｂは、前面部４２ａの収納空間ＳＳ側の側端から後方に向かって延びる。収納空間ＳＳのサイドパネル４０と反対側の側方は、第１側面部４２ｂによって塞がれる。第１側面部４２ｂは、例えば、キャビネット部３０に取り付けられ、収納空間ＳＳの他方の側方を塞ぐ。第２側面部４２ｃは、前面部４２ａの収納空間ＳＳ（第１側面部４２ｂ）と反対側の側端から後方に向かって延びる。
【００６７】
支持部７２、７３は、前面部４２ａに設けられている。支持部７４は、第２側面部４２ｃに設けられている。このように、第２Ｌ字型部材５２は、例えば、サイドパネル４０に設けられた支持部７０、７１によって左右方向の一端側を下方から支持されるとともに、前面パネル４２に設けられた支持部７２〜７４によって左右方向の他端側を下方から支持される。これにより、第２Ｌ字型部材５２は、各支持部７０〜７４を介してキャビネット部３０の上に取り付けられる。
【００６８】
また、図３に表したように、各支持部７０〜７４は、第１背板部５１ｂと第２背板部５２ａとの間に前後方向の隙間ＧＰ１を設け、かつ第１Ｌ字型部材５１と第２Ｌ字型部材５２との間に上下方向の隙間ＧＰ２を設けた状態で、第２Ｌ字型部材５２を支持する。隙間ＧＰ２は、より詳しくは、第１背板部５１ｂの上端と上板部５２ｂとの間の上下方向の隙間である。このように、第２Ｌ字型部材５２は、第１Ｌ字型部材５１から離間した状態で、第１Ｌ字型部材５１とは別の部材に支持される。
【００６９】
第２Ｌ字型部材５２を支持する第２支持部の構成は、上記に限ることなく、隙間ＧＰ１、ＧＰ２を設けた状態で第２Ｌ字型部材５２を支持可能な任意の構成でよい。第２支持部の数は、複数でもよいし、１つでもよい。第２支持部を設ける位置は、サイドパネル４０や前面パネル４２に限ることなく、上記のように支持可能な任意の位置でよい。第２支持部は、例えば、キャビネット部３０などに設けてもよい。
【００７０】
以上、説明したように、本実施形態に係る対面キッチン１０では、第１Ｌ字型部材５１と第２Ｌ字型部材５２とを重ねて設置するだけで収納空間ＳＳを設けることができる。また、収納空間ＳＳの下部を形成する底板部５１ａと第１背板部５１ｂとが一体的であるため、収納空間ＳＳの下部に隙間などが生じることを抑制し、適切な止水性を確保することができる。従って、箱状の収納ポケットを取付スペースに嵌め込む構成などと比べて、シンクカウンタ１２と対面カウンタ１４との間に、止水性を有する収納空間ＳＳを簡単な構成で設けることができる。また、現場で取付スペースなどを造作する必要もなく、高い施工性を得ることもできる。
【００７１】
また、対面キッチン１０は、第１Ｌ字型部材５１を支持する支持部６０〜６３（第１支持部）と、第２Ｌ字型部材５２を支持する支持部７０〜７４（第２支持部）と、をさらに備える。このように、第１Ｌ字型部材５１と第２Ｌ字型部材５２とが互いに異なる部材に支持されるため、互いに隙間ＧＰ１、ＧＰ２を設けた状態で支持することが可能となる。そして、これにより、第１Ｌ字型部材５１の寸法誤差が、第２Ｌ字型部材５２の取付位置などに影響を与えてしまうことを抑制することができる。
【００７２】
例えば、対面カウンタ１４を形成する第２Ｌ字型部材５２は、上板部５２ｂの外側面ＯＳ２２（対面カウンタ１４）が水平となるように各支持部７０〜７４に支持される。外側面ＯＳ２２の水平は、例えば、第２Ｌ字型部材５２と各支持部７０〜７４との間に板状のスペーサを設けることによって調整される。この際、第２Ｌ字型部材５２が第１Ｌ字型部材５１から離間していることにより、外側面ＯＳ２２の水平の調整をし易くすることができる。例えば、第１Ｌ字型部材５１の寸法誤差の影響によって、外側面ＯＳ２２を水平に調整できなくなってしまうことを抑制することができる。
【００７３】
また、対面キッチン１０では、支持部７０、７１（第２支持部）がサイドパネル４０に設けられているため、支持部７０、７１とサイドパネル４０との位置合わせを行うことで、第２Ｌ字型部材５２を適切に取り付けることができる。例えば、第２Ｌ字型部材５２自体の高さを調整しながら第２Ｌ字型部材５２の取り付けを行う必要がなく、施工性をより向上させることができる。
【００７４】
また、対面キッチン１０では、第２背板部５２ａが第１背板部５１ｂの後方に設けられ、上板部５２ｂが第１背板部５１ｂの上端を覆う。これにより、第１背板部５１ｂの上端が上方に露出してしまうことがなく、対面キッチン１０の見栄えをより向上させることができる。
【００７５】
図５及び図６は、実施形態に係る対面キッチンの変形例を模式的に表す斜視図である。  なお、上記実施形態と機能・構成上実質的に同じものについては、同符号を付し、詳細な説明は省略する。  
図５及び図６に表したように、対面キッチン１０ａは、建築の袖壁ＷＷに隣接して設置される。この対面キッチン１０ａでは、コンロ２０用のキャビネット３１の後方に設けられるキャビネット３４及び前面パネル４２が省略され、キャビネット３４及び前面パネル４２の設けられていた位置に、袖壁ＷＷが配置されている。換言すれば、コンロ２０用のキャビネット３１の後方に、袖壁ＷＷが配置されている。
【００７６】
このため、対面キッチン１０ａでは、第２Ｌ字型部材５２の左右方向の幅が、第１Ｌ字型部材５１の左右方向の幅と実質的に同じである。このように、第２Ｌ字型部材５２の左右方向の幅は、第１Ｌ字型部材５１の左右方向の幅と実質的に同じでもよいし、上記実施形態で示したように異なってもよい。
【００７７】
このように、第１Ｌ字型部材５１及び第２Ｌ字型部材５２で収納空間ＳＳを形成する構成では、左右方向の長さの異なる複数の製品などに対して、対応し易くすることができる。例えば、収納空間ＳＳの左右方向の長さが異なる複数の製品を製造する際に、取付スペースに箱状の収納ポケットを嵌め込む構成では、収納空間ＳＳの長さ毎に収納ポケットを用意しなければならなくなる。
【００７８】
これに対して、本実施形態に係る構成では、第１Ｌ字型部材５１及び第２Ｌ字型部材５２の左右方向の長さを調整するだけで、収納空間ＳＳの左右方向の長さの異なる複数の製品を製造することができる。従って、収納空間ＳＳの左右方向の長さの異なる複数の製品をより製造し易くすることができる。例えば、複数の製品を製造する際の製造コストを抑えることができる。
【００７９】
対面キッチン１０ａは、例えば、サイドパネル４４をさらに備える。サイドパネル４４は、収納空間ＳＳのサイドパネル４０とは反対側の側方を塞ぐ。このように、収納空間ＳＳの両側方をサイドパネル４０、４４で塞いでもよい。
【００８０】
対面キッチン１０ａにおいて、第２Ｌ字型部材５２を支持する第２支持部は、例えば、サイドパネル４０、４４に設けられる。これにより、対面キッチン１０ａにおいても、上記実施形態と同様に、第１背板部５１ｂと第２背板部５２ａとの間に前後方向の隙間ＧＰ１を設け、かつ第１Ｌ字型部材５１と第２Ｌ字型部材５２との間に上下方向の隙間ＧＰ２を設けた状態で、第２Ｌ字型部材５２を支持することが可能となる。
【００８１】
図７（ａ）〜図７（ｃ）は、実施形態に係る第１Ｌ字型部材及び第２Ｌ字型部材の変形例を模式的に表す断面図である。  
図７（ａ）に表したように、第２Ｌ字型部材５２の第２背板部５２ａは、第１Ｌ字型部材５１の第１背板部５１ｂの前方に設けてもよい。但し、この場合には、第１背板部５１ｂの上端が、上方に露出してしまう可能性が生じる。
【００８２】
従って、第２Ｌ字型部材５２の第２背板部５２ａは、上記実施形態で示したように、第１Ｌ字型部材５１の第１背板部５１ｂの後方に設けることが好ましい。これにより、第１背板部５１ｂの上端を上板部５２ｂで覆い隠すことができ、簡単な構成で対面キッチンの見栄えを向上させることができる。
【００８３】
図７（ｂ）に表したように、この例では、第１Ｌ字型部材５１が、基材８１、８２と、表面層８３と、を有し、第２Ｌ字型部材５２が、基材８４、８５と、表面層８６と、を有する。
【００８４】
基材８１は、前後方向に延びる。基材８２は、接着や溶着などによって基材８１と接合され、基材８１の後端から上方に向かって延びる。表面層８３は、基材８１、８２の表面を覆う。表面層８３は、例えば、基材８１、８２の少なくとも上下方向及び前後方向を向く表面を連続的に覆う。表面層８３は、例えば、基材８１、８２の表面全体を連続的に覆ってもよい。ここで、「連続的に覆う」とは、隙間やつなぎ目などが生じていない状態である。
【００８５】
基材８４は、前後方向において基材８２と重なる位置に設けられる。基材８５は、接着や溶着などによって基材８４と接合され、基材８４の上端から前方に向かって延びる。表面層８６は、基材８４、８５の表面を覆う。表面層８６は、例えば、基材８４、８５の少なくとも上下方向及び前後方向を向く表面を連続的に覆う。表面層８６は、例えば、基材８４、８５の表面全体を連続的に覆ってもよい。
【００８６】
従って、この例では、基材８１と表面層８３とによって底板部５１ａが形成され、基材８２と表面層８３とによって第１背板部５１ｂが形成され、基材８４と表面層８６とによって第２背板部５２ａが形成され、基材８５と表面層８６とによって上板部５２ｂが形成される。
【００８７】
この例において、第１Ｌ字型部材５１及び第２Ｌ字型部材５２は、例えば、高圧メラミン化粧板である。このように、第１Ｌ字型部材５１及び第２Ｌ字型部材５２は、２つの板状の基材８１、８２、８４、８５を接合して形成してもよい。この際、各基材８１、８２、８４、８５の接合部分を表面層８３、８６で覆うことにより、外側から見た状態において、底板部５１ａと第１背板部５１ｂとの間、及び第２背板部５２ａと上板部５２ｂとの間のつなぎ目を無くすことができる。これにより、収納空間ＳＳの止水性を向上させることができる。また、表面層８３、８６を用いることにより、例えば、第１Ｌ字型部材５１及び第２Ｌ字型部材５２の表面に高い耐水性と意匠性とを持たせることができる。表面層８３、８６は、例えば、各基材８１、８２、８４、８５の接合部分に少なくとも設けられていればよい。表面層８３、８６は、例えば、各基材８１、８２、８４、８５に対してシート状の部材を貼り付けることによって形成される。
【００８８】
図７（ｃ）に表したように、第１Ｌ字型部材５１及び第２Ｌ字型部材５２は、２つの板状の部材を接着や溶着などで接合して形成してもよい。但し、第１Ｌ字型部材５１及び第２Ｌ字型部材５２においては、図３及び図７（ａ）に表したように、一体成形したり、図７（ｂ）に表したように、表面層８３、８６を設けたりすることにより、底板部５１ａと第１背板部５１ｂとの間、及び第２背板部５２ａと上板部５２ｂとの間に、つなぎ目が生じないようにすることが好ましい。
【００８９】
例えば、図７（ｃ）に表したように、接合した２つの部材に対して、塗装やコーティングなどを施すことにより、底板部５１ａと第１背板部５１ｂとの間、及び第２背板部５２ａと上板部５２ｂとの間に、実質的につなぎ目が生じないようにしてもよい。換言すれば、塗装やコーティングなどにより、薄膜状の表面層８３、８６を形成してもよい。
【００９０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、対面キッチン１０、１０ａなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９１】
１０、１０ａ 対面キッチン、  １２ シンクカウンタ、  １４ 対面カウンタ、  １６ シンク、  １８ 水栓、  ２０ コンロ、  ３０ キャビネット部、  ３１〜３６ キャビネット、  ４０ サイドパネル、  ４２ 前面パネル、  ４４ サイドパネル、  ５１ 第１Ｌ字型部材、  ５２ 第２Ｌ字型部材、  ６０〜６３ 支持部（第１支持部）、  ７０〜７４ 支持部（第２支持部）、  ８１、８２、８４、８５ 基材、  ８３、８６ 表面層
【図１】
2019136289.tif 000003
【図２】
2019136289.tif 000004
【図３】
2019136289.tif 000005
【図４】
2019136289.tif 000006
【図５】
2019136289.tif 000007
【図６】
2019136289.tif 000008
【図７】
2019136289.tif 000009